(57)【要約】【課題】桟付きベルトを傷めることなく吊ることが出来る桟付きベルト用吊り冶具を提供する。【解決手段】両端にワイヤを取り付けるワイヤ取り付け部３が設けられた長棒状のベース部２と、少なくとも上面に湾曲面４ａを有し、ベース部２に対して直交して取り付けられたベルト支持部４とを備える。この場合、フレックスベルト５０はベース部２に対して直交して取り付けられたベルト支持部４の湾曲面４ａによりフレックスベルト５０を支持することができるので、ベルトを吊り下げたときのベルトの湾曲半径を大きくするようにした。【選択図】図１
2007246237.tif 000002
【特許請求の範囲】
【請求項１】
桟付きベルトを吊り下げるための桟付きベルト用吊り冶具であって、両端にワイヤを取り付けるワイヤ取り付け部が設けられた長棒状のベース部と、少なくとも上面に湾曲面を有し、前記ベース部に対して直交して取り付けられたベルト支持部と、を備えることを特徴とする桟付きベルト用吊り冶具。
【請求項２】
請求項１に記載の桟付きベルト用吊り冶具において、前記ベルト支持部は、断面形状がＬ字型の長棒を湾曲状に折り曲げて形成されていることを特徴とする桟付きベルト用吊り冶具。
【請求項３】
請求項１又は請求項２に記載の桟付きベルト用吊り冶具において、前記ベース部は、長手方向の長さを伸縮自在に構成されていることを特徴とする桟付きベルト用吊り冶具。
【請求項４】
請求項１に記載の桟付きベルト用吊り冶具において、前記ベルト支持部は、平板を湾曲状に折り曲げて形成されていることを特徴とする桟付きベルト用吊り冶具。
【請求項５】
請求項１乃至請求項４の何れか１項に記載の桟付きベルト用吊り冶具において、前記桟付きベルトを吊り下げた時に前記桟付きベルトを押さえるベルト押さえ金具を備えることを特徴とする桟付きベルト用吊り冶具。
【発明の詳細な説明】
【技術分野】
【０００１】
本発明は、桟付きベルト用吊り冶具に関わり、特に桟付きベルトをフレームに組み付ける際に好適なものである。
【背景技術】
【０００２】
ゴミ処理場や砕石場等では、ゴミや砕石等の搬送物を搬送するベルトコンベアとしてフレックスコンベアが広く利用されている。
図６はフレックスコンベアに用いられるフレックスベルトの構成を示した図である。この図６に示すフレックスベルト５０は、長尺の平ベルトからなるベルト本体５１と、ベルト本体５１のベルト進行方向と直交する方向（横方向）に伸びるゴム製の桟（横桟）５２を備えている。また横桟５２の左右両側には進行方向と平行に伸びるゴム製の波状の桟（波桟）５３、５３を備えている。そして、この横桟５２と波桟５３により囲まれた空間の搬送物を載せることで低所から高所へ向けて搬送する。
【０００３】
ところで、フレックスベルト５０は、ベルト本体５１上に横桟５２と波桟５３、５３とが設けられているため、桟が無い通常の平ベルトに比べて重量が重い。またフレックスベルト５０を取り付けるコンベアのフレーム５４は下流側が上流側よりも高いため、フレックスベルト５０をフレーム５４に組み付けてベルトコンベアを組み立てる際には、図７に示すようにクレーン車５５のクレーンを用いてフレックスベルト５０を吊り上げてフレーム５４の上側からベルトを組み付けるようにしていた。このとき、フレックスベルト５０はベルト吊り冶具６０を利用して吊り上げられる。
【０００４】
クレーンより吊り上げたフレックスベルト５０のフレーム５４への組み付けは、例えばフレーム５４内に設けられたフレックスベルト５０の設置経路内にフレーム５４の上部開口からフレックスベルト５０の端部を挿入し、ベルト端部に止着したワイヤ５６を用いてフレックスベルト５０全体をフレーム５４のベルト設置経路内に引き込んで行うようにしていた。
図８（ａ）は、従来のベルト吊り冶具６０に吊り下げられるフレックスベルト５０の状態を示した図である。この図に示す従来のベルト吊り冶具６０は、両端にクレーンから延びる吊り下げ用のワイヤＷを取り付ける金具６１が設けられた長棒状のベース部６２からなり、このベース部６２上にフレックスベルト５０の一部を載せて吊り下げるようにしていた。
【０００５】
なお、先行文献としては、特許文献１に建築物の躯体の上方から外壁用パネルを吊り込んで、躯体に取り付ける際にパネルの振れを防止し、安全に作業することができる外壁パネルの吊り込み用工具に関する技術が開示されている。
また、特許文献２にはベルトコンベアを任意の位置で固定するベルトコンベアのクランプ装置が開示されている。
【特許文献１】特開平１１−４４０９３号公報
【特許文献２】実開平５−９４５０８号公報
【発明の開示】
【発明が解決しようとする課題】
【０００６】
しかしながら、上記した従来のベルト吊り冶具６０は、図８（ｂ）に示すようにフレックスベルト５０を吊り下げた時のベルトの湾曲半径Ｒが小さいため、フレックスベルト５０の波桟５３部分が伸びて傷むという欠点があった。
またフレックスベルト５０に何らかの外力が加わった場合、或いは吊り下げ状態にあるベルトの重量バランスが崩れて片荷になった場合、図８（ｃ）に示す矢印方向にベルトが滑ってベルトが落下するおそれがあった。
【０００７】
本発明は上記したような点に鑑みてなされたものであり、重量が重く且つ長尺の桟付きベルトを傷めることなく吊り下げることができる桟付きベルト用吊り冶具を提供することを目的とする。また吊り下げ状態にある桟付きベルトの落下を防止できる桟付きベルト用吊り冶具を提供することを目的とする。
【課題を解決するための手段】
【０００８】
上記目的を達成するため、請求項１に記載の発明は、桟付きベルトを吊り下げるための桟付きベルト用吊り冶具であって、両端にワイヤを取り付けるワイヤ取り付け部が設けられた長棒状のベース部と、少なくとも上面に湾曲面を有し、前記ベース部に対して直交して取り付けられたベルト支持部と、を備えることを特徴とする。
請求項２に記載の発明は、請求項１に記載の桟付きベルト用吊り冶具において、前記ベルト支持部は、断面形状がＬ字型の長棒を湾曲状に折り曲げて形成されていることを特徴とする。
【０００９】
請求項３に記載の発明は、請求項１又は請求項２に記載の桟付きベルト用吊り冶具において、前記ベース部は、長手方向の長さを伸縮自在に構成されていることを特徴とする。
請求項４に記載の発明は、請求項１に記載の桟付きベルト用吊り冶具において、前記ベルト支持部は、平板を湾曲状に折り曲げて形成されていることを特徴とする。
請求項５に記載の発明は、請求項１乃至請求項４の何れか１項に記載の桟付きベルト用吊り冶具において、前記桟付きベルトを吊り下げた時に前記桟付きベルトを押さえるベルト押さえ金具を備えることを特徴とする。
【発明の効果】
【００１０】
本発明によれば、上面に湾曲面を有するベルト支持部をベース部に直交して取り付けたことで、桟付きベルトを吊り下げた時のベルトの湾曲半径を従来より大きくすることができる。これにより、桟付きベルトの桟を傷めることなく桟付きベルトを吊り下げることが可能になる。
【００１１】
また本発明によれば、ベルト押さえ金具により吊り下げ状態にある桟付きベルトを押さえることができるように構成したことで、例えば桟付きベルトに何らかの外力が加わった場合、或いはベルトの重量バランスが崩れて片荷になった場合でも桟付きベルトが落下するのを防止できる。
【発明を実施するための最良の形態】
【００１２】
以下、図面を参照しながら本発明の桟付きベルト用吊り冶具の実施形態について説明する。なお、本実施形態では桟付きベルトとして図６に示したフレックスベルトを例に挙げて説明する。
図１は本実施形態のベルト吊り冶具の構成例を示した図であり、（ａ）は上面図、（ｂ）は正面図、（ｃ）は側面図である。
図１に示す本実施形態のベルト吊り冶具１は、ベース部２、ワイヤ取り付け部３、及びベルト支持部４により構成される。なお、各部はＳＳ材（鉄）からなる。
【００１３】
ベース部２は、例えば断面形状が略コの字型の長棒からなり、その長手方向両端部には、図７に示したクレーンから延びる吊り下げ用のワイヤＷを夫々止着するためのワイヤ取り付け部３が溶接により夫々取り付けられている。またベース部２の上面の左右両側（長手方向両側）には、後述するベルト押さえ金具５を取り付ける孔２ａが形成されている。さらにベース部２の両側面には湾曲した形状のベルト支持部４がベース部２の長手方向と直交するように取り付けられている。
ベルト支持部４は、例えば断面形状がＬ字型の長棒からなり、その上面が湾曲面４ａとなるように折り曲げられている。また、ベルト支持部４の上面とベース部２の上面との間には段差が形成されないように連結されている。
【００１４】
このような本実施形態のベルト吊り冶具１の上面にフレックスベルト５０を載せて吊り下げた場合は、ベース部２に対して直交したベルト支持部４の湾曲面（上面）４ａによってフレックスベルト５０の下面が安定して支持されることになる。従って、大きな湾曲面を有したベルト吊り冶具１を用いてフレックスベルト５０の下面を支持して吊り下げたときのベルトの湾曲半径ｒは、図１（ｃ）に示すように、従来のベルト吊り冶具６０におけるベルトの湾曲半径Ｒより大きくすることができる。
【００１５】
次に図２を用いてベルト押さえ金具について説明する。
図２（ａ）は本実施形態のベルト吊り冶具１にベルト押さえ金具５を取り付けた状態を示した全体図、図２（ｂ）はベルト押さえ金具部分を拡大して示した図である。
図２（ａ）（ｂ）に示すように、本実施形態のベルト吊り冶具１は、フレックスベルト５０の波桟５３の外側に位置するベルト本体５１の幅方向両端部をベルト押さえ金具５により押さえることができる。このとき、ベルト押さえ金具５のベース部２への取り付けはネジ６を用いて行う。またベース部２とベルト押さえ金具５との間にはスペーサ７が挟み込まれており、これによりベース部２とベルト押さえ金具５との隙間を調整している。なお、本実施形態ではネジ６を用いた機構によりベルト押さえ金具５をベース部２に取り付けるようにしているが、これはあくまでも一例であり、例えば油圧を利用したトグル機構や自動クランプ機構などによりベルト押さえ金具５をベース部２に取り付けてフレックスベルト５０を押さえるようにしても良い。
【００１６】
図３は本実施形態のベルト吊り冶具を用いてフレックスベルトを吊り下げたときの状態を示した斜視図である。
本実施形態のベルト吊り冶具１を用いてフレックスベルト５０を吊り下げた場合は、ベース部２に対して直交して取り付けたベルト支持部４の上面の湾曲面４ａによりフレックスベルト５０を支持することができるため、従来のベルト吊り冶具６０によりフレックスベルト５０を吊り下げた場合に比べて、ベルトの湾曲半径ｒを大きくすることができる。これにより、フレックスベルト５０を吊り下げたときに波桟５３が伸びて傷むのを防止することができる。
具体的には、フレックスベルト５０のベルト幅Ｗに対するベルトの湾曲半径ｒの割合（ｒ／Ｗ）を０．１以上にすると、フレックスベルト５０の波桟５３が傷むのを防ぐことができた。因みに従来のベルト吊り冶具６０ではベルト幅Ｗに対するベルトの湾曲半径Ｒの割合（Ｒ／Ｗ）が０．０４〜０．０５であった。
【００１７】
また、本実施形態のベルト吊り冶具１は、例えばフレックスベルト５０を吊り下げた状態でベルト押さえ金具５によりフレックスベルト５０のベルト本体５１部分を押さえることで、例えばベルトに何らかの外力が加わった場合、或いは吊り下げ状態にあるベルトの重量バランスが崩れてベルトが片荷になった場合でもベルトが滑って落下するのを防止することができる。
さらに、本実施形態のベルト吊り冶具１は、事前に作製しておくことができるので、予め作製しておいたベルト吊り冶具１を用いてベルトコンベアの組み立てを行えばベルトコンベアを組み立てる際の工程が増加することもない。
【００１８】
以下、本実施形態のベルト吊り冶具の他の構成例を説明する。
図４は本実施形態のベルト吊り冶具の他の構成例を示した図であり、（ａ）は上面図、（ｂ）は正面図、（ｃ）は側面図である。なお、図１と同一部位には同一符号を付して詳細な説明は省略する。
図４に示すベルト吊り冶具１１は、ベース部１２の長手方向の長さを伸縮自在にした点が図１に示したベルト吊り冶具１とは異なる。この場合、ベース部１２は、例えば断面サイズが異なる２つのベース材１２ａ、１２ｂにより構成し、断面サイズの小さい一方のベース材１２ａを、ベース材１２ａより断面サイズが大きい他方のベース材１２ｂの内側に収納することで長手方向の長さを伸縮自在にしている。このため、一方のベース材１２ａには長手方向に長い長孔１３ａを形成し、他方のベース材１２ｂには短孔１３ｂを形成する。そして、この長孔１３ａと短孔１３ｂとをボルトとナットを用いて接続するようにしている。
このようにベルト吊り冶具１１を構成した場合は、上記効果に加えて、ベルト幅の異なる複数のベルトを吊り下げることができる。
【００１９】
図５は本実施形態のベルト吊り冶具のさらに他の構成例を示した図であり、（ａ）は上面図、（ｂ）は正面図、（ｃ）は側面図である。なお、図１と同一部位には同一符号を付して詳細な説明は省略する。
この図５に示すベルト吊り冶具２１は、ベルト支持部２２を幅広の平板材を用いて構成した点が図１に示したベルト吊り冶具１とは異なる。即ち、図１に示したベルト吊り冶具１では、Ｌ字型の長棒を折り曲げてベルト支持部４の湾曲面４ａを形成していたのに対して、図５に示すベルト吊り冶具２１では平板材を湾曲させてベルト支持部２２の湾曲面２２ａを形成するようにしたものである。
但し、図１に示した長棒を使用したベルト支持部４の方が、平板を用いたベルト支持部２２よりも使用する金属量が少ないので低コスト化と軽量化を実現することができる。
このようにベルト吊り冶具２１を構成した場合は、上記効果に加えて、ベルト下面との接触面積が増大するので支持安定性を確保することができ、ベルトが傷むのを防ぐことが出来る。
【００２０】
なお、本実施形態では桟付きベルトの一例としてフレックスベルト５０を例に挙げて説明したが、これはあくまでも一例であり、本発明の桟付きベルト用吊り冶具は、例えば横桟だけが設けられているヒレ付（クライマー）ベルトや、桟付（Ｖ桟、中寄）ベルト等の桟付きベルトを吊り下げる際に利用することができるのは言うまでもない。
【図面の簡単な説明】
【００２１】
【図１】本発明の実施形態のベルト吊り冶具の構成を示した図である。
【図２】本実施形態のベルト吊り冶具にベルト押さえ金具を取り付けた時の状態を示した図である。
【図３】本実施形態のベルト吊り冶具を用いてフレックスベルトを吊り下げたときの状態を示した斜視図である。
【図４】本実施形態のベルト吊り冶具の他の構成を示した図である。
【図５】本実施形態のベルト吊り冶具のさらに他の構成例を示した図である。
【図６】フレックスコンベアに用いられるフレックスベルトの構成を示した図である。
【図７】フレックスコンベアの組み立て例を示した図である。
【図８】従来のベルト吊り冶具を用いてフレックスベルトを吊り下げたときの状態を示した図である。
【符号の説明】
【００２２】
１、１１、２１…ベルト吊り冶具、２、１２…ベース部、３…ワイヤ取り付け部、４、２２…ベルト支持部、４ａ、２２ａ…湾曲面、５…ベルト押さえ金具、５１…フレックスベルト、５２…横桟、５３…波桟
【図１】
2007246237.tif 000003
【図２】
2007246237.tif 000004
【図３】
2007246237.tif 000005
【図４】
2007246237.tif 000006
【図５】
2007246237.tif 000007
【図６】
2007246237.tif 000008
【図７】
2007246237.tif 000009
【図８】
2007246237.tif 000010